(57)【特許請求の範囲】
【請求項１】
ほぼＬ字状の２枚の支持板の底辺側に三味線の胴部を載置する凹部が形成され、縦辺側が後方に傾斜すると共に胴部の背もたれとなっている構造において、
前記の２枚の支持板の底辺側内面と縦辺側内面に、載置される三味線の胴部側に折れる二つ折りの連結手段の両端をそれぞれヒンジ手段で取付けることによって、前記２枚の支持板が折り畳み可能に連結されていることを特徴とする書見台兼用の三味線立て。
【請求項２】
ほぼＬ字状の２枚の支持板の底辺側に三味線の胴部を載置する凹部が形成され、縦辺側が後方に傾斜すると共に胴部の背もたれとなっている構造において、
前記の２枚の支持板の底辺前端と縦辺側に、ボルト軸挿入用の凹部を有しており、
筒体中にボルト軸を同軸状に挿通して、ボルト頭部と筒体の一端との間のボルト軸を片方の支持板の底辺前端と縦辺側の凹部中にそれぞれ挿入し、筒体の他端とナットとの間のボルト軸を他方の支持板の底辺前端と縦辺側の凹部中にそれぞれ挿入した状態でナットを締めつける構造となっていることを特徴とする書見台兼用の三味線立て。
【請求項３】
前記のボルト軸挿入用の凹部は、奥の方が下り勾配となるように傾斜させてあることを特徴とする請求項２に記載の書見台兼用の三味線立て。
【請求項４】
前記の２枚の支持板の底辺の後端が後方に突出していて、設置領域を後方に拡張してあることを特徴とする請求項１、請求項２または請求項３に記載の書見台兼用の三味線立て。
【請求項５】
ほぼＬ字状の２枚の支持板の底辺側の前方に設けた上向き突起と後方の縦辺との間に凹部を形成すると共に、前記の上向き突起と縦辺との間にハンモック状にベルト１８や紐などを張っておいて、その上に三味線の胴部を載置する構造としたことを特徴とする請求項１から請求項４までのいずれかの項に記載の書見台兼用の三味線立て。
【発明の詳細な説明】
【技術分野】
【０００１】
本発明は、三味線を立てた状態に支持でき、三味線を立てない場合は書見台としても利用できる折り畳み携帯式の三味線立てに関する。
【背景技術】
【０００２】
琉球芸能に不可欠な三味線を立てた状態で支持するスタンドとして、胴部を支持する台部と棹部を倒れないように背部から支える棹支持部からなる支持装置が知られているが、床の間に置いたりして装飾も兼ねている。したがって、携帯可能にはなっていない。
【０００３】
一方、三線教習所や発表会等の場所で、待機中や休憩中に狭いスペースでは使用できない。いちいち三味線ケースに収納するのも面倒だから、三線を寝かして置く人もいるが、大事な三味線だから地べたには置きたくない。したがって、狭いペースでも即座に簡単に組立てて使用でき、かつ折り畳んで携帯もできる小型の装置があると便利で、三味線の普及にも貢献できる。
【０００４】
これに対し、ギターを立てる楽器スタンドとして、特開2004-62191のように、Ｌ字状に曲げた左右の支持パイプを頂端で開閉したり折り畳みできるようにヒンジ手段で連結した構造が提案されている。また、Ｌ字状に曲げた左右の支持パイプの背部には、スタンド自体を床面上に安定支持する基礎部が連結されている。
【特許文献１】特開2004-62191
【発明の開示】
【発明が解決しようとする課題】
【０００５】
しかしながら、このギター用の楽器スタンドは、ヒンジ手段となる頂部でギター胴部の背部を支えるが、支える部分が１か所しかないため、安定性が悪いのが致命的である。また、ギター胴部自体を支持する部分とスタンド自体を支持する手段とが必要となり、構造的に煩雑である。そのため、この技術を三味線用に応用しようとしても、同様な問題は避けられない。
【０００６】
本発明の技術的課題は、このような問題に着目し、小型に折り畳んで携帯や保管に便利な三味線立てにおいて、立てた状態の三味線胴部の下部と背部を左右２か所で支持するだけで、転倒し易い三味線の全体を安定よく支持できる三味線立てを実現することにある。
【課題を解決するための手段】
【０００７】
本発明の技術的課題は次のような手段によって解決される。請求項１は、ほぼＬ字状の２枚の支持板の底辺側に三味線の胴部を載置する凹部が形成され、縦辺側が後方に傾斜すると共に胴部の背もたれとなっている構造において、前記２枚の支持板の底辺側内面と縦辺側内面に、載置される三味線の胴部側に折れる二つ折りの連結手段の両端をそれぞれヒンジ手段で取付けることによって、前記２枚の支持板が折り畳み可能に連結されていることを特徴とする書見台兼用の三味線立てである。
【０００８】
このように、ほぼＬ字状の２枚の支持板の底辺側に三味線の胴部を載置する凹部が形成され、縦辺側が後方に傾斜すると共に胴部の背もたれとなっているため、凹部中に三味線の全荷重を受けて支持でき、またＬ字状部の縦辺側が三味線胴部の背もたれとなっているため、二つ折りの連結手段を開いて伸ばせば、２枚の支持板だけで、転倒し易く安定性の悪い三味線を確実に安定よく支持できる。しかも、Ｌ字状部の縦辺側が後方に傾斜しているので、三味線全体を予め後方に多少傾けた状態で、それ以上後方に倒れないように、安定させることができる。また、２枚の支持板の底面が三味線立て自体の安定支持面を兼ねているので、構造が複雑化することもない。
さらに、前記の２枚の支持板の底辺側内面と縦辺側内面に、載置される三味線の胴部側に折れる二つ折りの連結手段の両端をそれぞれヒンジ手段で取付けることによって、前記２枚の支持板が折り畳み可能に連結されているため、通常は２枚のＬ字状支持板を折り畳み状態にしてコンパクト化でき、携帯や保管に便利である。また、二つ折りの連結手段を開いて伸ばし、２枚のＬ字状支持板を開いて組立てた状態にすると全体の安定性が増し、三味線の胴部を載置支持可能となる。特に、三味線を演奏する際は、連結状態の２枚の支持板の間に教本などを立てて、書見台としても兼用できる。
以上のように、三味線の胴部のみを保持することで、転倒し易い三味線を立てた状態に安定支持でき、狭いスペースでも即座に簡単に開いて使用でき、従来の要望に応えることができる。
【０００９】
請求項２は、ほぼＬ字状の２枚の支持板の底辺側に三味線の胴部を載置する凹部が形成され、縦辺側が後方に傾斜すると共に胴部の背もたれとなっている構造において、前記の２枚の支持板の底辺前端と縦辺側に、ボルト軸挿入用の凹部を有しており、筒体中にボルト軸を同軸状に挿通して、ボルト頭部と筒体の一端との間のボルト軸を片方の支持板の底辺前端と縦辺側の凹部中にそれぞれ挿入し、筒体の他端とナットとの間のボルト軸を他方の支持板の底辺前端と縦辺側の凹部中にそれぞれ挿入した状態でナットを締めつける構造となっていることを特徴とする書見台兼用の三味線立てである。
このように、ほぼＬ字状の２枚の支持板の底辺側に三味線の胴部を載置する凹部が形成され、縦辺側が後方に傾斜すると共に胴部の背もたれとなっているので、三味線の安定支持が可能である。そして、筒体中にボルト軸を同軸状に挿通して、ボルト頭部と筒体の一端との間のボルト軸を片方の支持板の底辺前端と縦辺側の凹部中にそれぞれ挿入し、筒体の他端とナットとの間のボルト軸を他方の支持板の底辺前端と縦辺側の凹部中にそれぞれ挿入した状態でナットを締めつける構造となっているため、２枚のＬ字状支持板を間隔をおいて確実にかつ強固に連結固定できる。その結果、三味線の全荷重を支持する受け台としての機能と、棹部が転倒しないように胴部の背部を支持する機能を充分に果たすことができ、安定よく三味線を支持できる。
しかも、前記の２枚の支持板の底辺前端と縦辺側に、ボルト軸挿入用の凹部をそれぞれ有しているため、これらの凹部中に前記のボルト軸をそれぞれ挿入することができ、三味線を演奏する際は、こうして連結した状態の２枚の支持板の間に教本などを立てて、書見台としても兼用できる。
【００１０】
請求項３は、前記のボルト軸挿入用の凹部は、奥の方が下り勾配となるように傾斜させてあることを特徴とする請求項２に記載の書見台兼用の三味線立てである。このように、前記のボルト軸挿入用の凹部は、奥の方が下り勾配となるように傾斜させてあるため、ボルト軸を着脱する際に、ナットが弛んでいるために凹部からボルト軸が容易に脱落する恐れがない。
【００１１】
請求項４は、前記の２枚の支持板の底辺の後端が後方に突出していて、設置領域を後方に拡張してあることを特徴とする請求項１、請求項２または請求項３に記載の書見台兼用の三味線立てである。図３のように、２枚の支持板１、２の凹部８と縦辺７の前面は後方に例えば約１５度傾けてあるため、凹部８中の三味線は、本来なら後方に倒れようとするが、請求項４のように、底辺の後端５Ｂが後方に突出していて、設置領域を後方に拡張してあるため、安定性の良い台状を実現している。したがって、この三味線立てによると、Ｌ字状の底辺５の凹部８中に胴部９を挿入載置し、縦辺７に胴部の背面を立てかけて、三味線の胴部９のみを保持するだけで、三味線全体を後方に多少傾けて立てた状態に安定支持できる。
【００１２】
請求項５は、ほぼＬ字状の２枚の支持板の底辺側の前方に設けた上向き突起と後方の縦辺との間に凹部を形成すると共に、前記の上向き突起と縦辺との間にハンモック状にベルト１８や紐などを張っておいて、その上に三味線の胴部を載置する構造としたことを特徴とする請求項１から請求項４までのいずれかの項に記載の書見台兼用の三味線立てである。このように、ほぼＬ字状の２枚の支持板の底辺側の前方に設けた上向き突起と後方の縦辺との間に凹部を形成すると共に、前記の上向き突起と縦辺との間にハンモック状にベルト１８や紐などを張ってあるので、その上に三味線の胴部を載置することもできる。
【発明の効果】
【００１３】
請求項１のように、ほぼＬ字状の２枚の支持板の底辺側に三味線の胴部を載置する凹部が形成され、縦辺側が後方に傾斜すると共に胴部の背もたれとなっているため、凹部中に三味線の全荷重を受けて支持でき、またＬ字状部の縦辺側が三味線胴部の背もたれとなっているため、二つ折りの連結手段を開いて伸ばせば、２枚の支持板だけで、転倒し易く安定性の悪い三味線を確実に安定よく支持できる。しかも、前記の２枚の支持板の底辺側内面と縦辺側内面に、三味線の胴部側に折れる二つ折りの連結手段の両端をそれぞれヒンジ手段で取付けることによって、前記２枚の支持板が折り畳み可能に連結されているため、通常は２枚のＬ字状支持板を折り畳み状態にしてコンパクト化でき、携帯や保管に便利である。二つ折りの連結手段を開いて伸ばし、２枚のＬ字状支持板を開いて組立てた状態にすると全体の安定性が増し、三味線の胴部を載置支持可能となる。特に、三味線を演奏する際は、連結状態の２枚の支持板の間に教本などを立てて、書見台としても兼用できる。
【００１４】
請求項２のように、ほぼＬ字状の２枚の支持板の底辺側に三味線の胴部を載置する凹部が形成され、縦辺側が後方に傾斜すると共に胴部の背もたれとなっているので、三味線の安定支持が可能である。そして、筒体中にボルト軸を同軸状に挿通して、ボルト頭部と筒体の一端との間のボルト軸を片方の支持板の底辺前端と縦辺側の凹部中にそれぞれ挿入し、筒体の他端とナットとの間のボルト軸を他方の支持板の底辺前端と縦辺側の凹部中にそれぞれ挿入した状態でナットを締めつける構造となっているため、２枚のＬ字状支持板を間隔をおいて確実にかつ強固に連結固定できる。その結果、三味線の全荷重を支持する受け台としての機能と、棹部が転倒しないように胴部の背部を支持する機能を充分に果たすことができ、安定よく三味線を支持できる。しかも、前記の２枚の支持板の底辺前端と縦辺側に、ボルト軸挿入用の凹部をそれぞれ有しているため、これらの凹部中に前記のボルト軸をそれぞれ挿入することができ、三味線を演奏する際は、こうして連結した状態の２枚の支持板の間に教本などを立てて、書見台としても兼用できる。
【００１５】
請求項３のように、前記のボルト軸挿入用の凹部は、奥の方が下り勾配となるように傾斜させてあるため、ボルト軸を着脱する際に、ナットが弛んでいるために凹部からボルト軸が容易に脱落する恐れがない。
【００１６】
凹部中の三味線は、本来なら後方に倒れようとするが、請求項４のように、底辺の後端が後方に突出していて、設置領域を後方に拡張してあるため、安定性の良い台状を実現している。したがって、この三味線立てによると、Ｌ字状の底辺の凹部中に胴部を挿入載置し、縦辺に胴部の背面を立てかけて、三味線の胴部のみを保持するだけで、三味線全体を後方に多少傾けて立てた状態に安定支持できる。
【００１７】
請求項５のように、ほぼＬ字状の２枚の支持板の底辺側の前方に設けた上向き突起と後方の縦辺との間に凹部を形成すると共に、前記の上向き突起と縦辺との間にハンモック状にベルト１８や紐などを張ってあるので、その上に三味線の胴部を載置することもできる。
【発明を実施するための最良の形態】
【００１８】
次に本発明による書見台兼用の三味線立てが実際上どのように具体化されるか実施形態を説明する。図１は本発明による三味線立ての実施形態を示す斜視図である。左右２枚の支持板１、２が、所定の間隔Ｄをおいて立て状態に、２本の連結具３、４で連結固定されている。２枚の支持板１、２は、左側から見ると、図４のようにＬ字状をしており、かつ後方に多少傾いている。
【００１９】
図２は、この三味線立てで三味線を立てた状態である。Ｌ字状の底辺５は、その前方の上向き突起６と後方の縦辺７との間に凹部８が形成されており、その中に、図２のように三味線の胴部９が挿入載置されている。９ｒは棹、９ａは鳩胸である。図３は、この状態を背部から見た斜視図であり、Ｌ字状の縦辺７の前面に胴部９の背面を立てかけてある。２枚の支持板１、２の凹部８と縦辺７の前面は後方に例えば約１５度傾けてあるため、凹部８中の三味線は、本来なら後方に倒れようとするが、底辺の後端５Ｂが後方に突出していて、設置領域を後方に拡張してあるため、安定性の良い台状を実現している。したがって、この三味線立てによると、Ｌ字状の底辺５の凹部８中に胴部９を挿入載置し、縦辺７に胴部の背面を立てかけて、三味線の胴部９のみを保持するだけで、三味線全体を後方に多少傾けて立てた状態に安定支持できる。
【００２０】
図４は、片方の支持板を示す側面図であり、Ｌ字状の底辺５の前端５Ｆに、連結具挿入用の凹部１０が形成されている。また、Ｌ字状の縦辺７の背部にも、連結具挿入用の凹部１１が形成されている。両凹部１０、１１は、奥の方が下り勾配となるように傾斜させてあるので、連結具３、４を着脱する際に、蝶ナット１７が弛んでいるために凹部１０、１１から連結具３、４が容易に脱落する恐れがない。なお、これらの凹部１０、１１を貫通孔で代用することもできる。凹部８と縦辺７の前面のなす角度は約９０度である。
【００２１】
図５は、前記の連結具３、４の縦断面図であり、外筒１２中にボルト状の中軸１３が挿通されている。外筒１２は、一端につば１４を有し、他端につば１５を有している。ボルト状の中軸１３は、ボルト頭部１６と蝶ナット１７を有している。この頭部１６と筒体つば１４間の中軸１３を片方の支持板の底辺前端の凹部１０中に挿入し、蝶ナット１７と筒体つば１５間の中軸１３を他方の支持板の同じ凹部１０中に挿入して、蝶ナット１７を締めると、ボルト頭部１６と筒体つば１４間に片方の支持板が挟持固定され、蝶ナット１７と他方の筒体つば１５間に他方の支持板が挟持固定される。
【００２２】
同様にして、図１のようにＬ字状の縦辺背部の凹部１１中にもう一本の連結具４を取付け固定すると、２枚の支持板の縦辺同士が連結固定される。この場合、２枚の支持板の間隔は、筒体１２の長さで規定される。したがって、筒体１２の長さは、三味線の胴部９の左右方向のサイズで決まる。三味線の胴部９のサイズは大体一定しているので、筒体１２の長さも約１３ｃｍ程度となる。なお、２枚の支持板に開けた孔にボルト状中軸１３を挿通することもできる。すなわち、片方の支持板の孔にボルト状中軸１３を挿通し、次いで外筒１２、他方の支持板の孔の順に挿通してから、蝶ナット１７を嵌めてねじ締めする。２枚の支持板の間隔保持と連結固定は、図５の同軸連結具以外でも可能である。
【００２３】
図６は、２枚の支持板の他の実施形態であり、底辺の凹部８を深くすると共に、先端突起６と縦辺７との間にハンモック状にベルト１８や紐などを張っておいて、その上に三味線の胴部を載置することもできる。あるいは、図１の２枚の支持板のそれぞれの凹部８・８間に複数本の紐やハンモック状にベルトを張っておいて連結手段とし、その上に三味線の胴部を載せることもできる。このとき、三味線の胴部後端から突出している糸掛け用突起を避ける孔をハンモック状ベルトに開けておくことは当然である。なお、２枚の支持板の縦辺７・７間にも複数本の紐やベルトなどを張っておいて連結手段とし、この紐やベルトなどに三味線の胴部の背面を立てかけることもできる。
【００２４】
この実施形態における複数本の紐やベルトなどを張ってなる連結手段に代えて、図７〜図１０のような折り畳み式の連結手段１９、１９を用いて、縦辺７・７間や底辺５・５間を連結することもできる。２枚の連結板１９ａ、１９ｂは蝶番２０で連結されていて、蝶番２０で二つ折りにできる。このような二つ折り可能な連結手段１９の両端を蝶番２１、２２で前記の２枚の支持板の縦辺７、７と底辺５、５に取付けてある。こうして、前記２枚の支持板１、２が折り畳み可能に連結されているので、図７、図８のように連結手段１９、１９を開いて伸ばした状態にすると、２枚の支持板１、２間が開いた状態となって安定状態となり、その上に三味線の胴部を置いたり、立てかけたりできる。三味線を除去して、図９のように連結手段１９、１９を折ることができ、更に折って完全に重ねると、図１０のようになる。
【００２５】
以上のように、本発明の三味線立ては、２枚の支持板と両支持板間の連結手段からなっているため、使用しないときは分解したり折り畳んで、三味線ケースの中に重ねて収納して携帯したり保管できる。そして、使用に際しては、簡単に組み立てたり開いたりして三味線を立てることができる。また、三味線立てとして使用しない場合、すなわち演奏に三味線を使用する場合は、三味線立ての連結状態の２枚の支持板の間に教本などを立てて、書見台として兼用することもできる。
【産業上の利用可能性】
【００２６】
以上のように、本発明の三味線立ては、２枚の支持板を間隔をおいて連結しておくだけで、三味線を立てた状態に安定保持できるので、どこへでも携帯して組み立てたり開いて使用でき、また書見台としても兼用でき、さらに分解したり折り畳んで三味線ケースに収納し保管することもできる。したがって利便性が向上し、三味線愛好家の増加に貢献できる。
【図面の簡単な説明】
【００２７】
【図１】本発明による三味線立ての実施形態を示す斜視図である。
【図２】図１の三味線立てに三味線を立てた状態を正面方向から見た斜視図である。
【図３】図２の状態を背部から見た斜視図である。
【図４】片方の支持板を示す側面図である。
【図５】連結具の縦断面図である。
【図６】２枚の支持板の他の実施形態を示す側面図である。
【図７】二つ折り式連結手段を開いた状態の前方斜視図である。
【図８】二つ折り式連結手段を開いた状態の後方斜視図である。
【図９】二つ折り式連結手段の折り畳み途中の斜視図である。
【図１０】二つ折り式連結手段の折り畳んだ状態の斜視図である。
【符号の説明】
【００２８】
１・２  支持板
３・４  連結具
５  Ｌ字状の底辺
６  突起
７  縦辺
８  凹部
９  三味線の胴部
１０・１１  連結具挿入用の凹部
１２  外筒
１３  ボルト状の中軸
１４・１５  つば
１６  ボルト頭部
１７  蝶ナット
１８  ベルト
１９  折り畳み式の連結手段
１９ａ・１９ｂ  連結板
２０  中間の蝶番
２１・２２  両端の蝶番
【図１】
0004025798.tif 000002
【図２】
0004025798.tif 000003
【図３】
0004025798.tif 000004
【図４】
0004025798.tif 000005
【図５】
0004025798.tif 000006
【図６】
0004025798.tif 000007
【図７】
0004025798.tif 000008
【図８】
0004025798.tif 000009
【図９】
0004025798.tif 000010
【図１０】
0004025798.tif 000011